(57)【要約】【課題】二次元測色装置において、分光放射輝度の位置による変化に起因して輝度が低い場合に測色値に生じる誤差を抑制する。【解決手段】二次元測色装置においては、二次元カラーセンサー及び校正用センサーが二次元領域からの光から生成される第１及び第２の光をそれぞれ受光する。校正用センサーは、複数の被測定領域の色彩にそれぞれ応じた複数の検出結果を出力する。複数の検出結果は、共通の被測定領域の色彩に応じた第１の検出結果を含む。校正用センサーは、共通の被測定領域の輝度及び色彩に応じた第２の検出結果を出力する。色度域が基準より広くなった状況下、又は輝度に対する色度域の変化量が基準より大きくなった状況下において校正時における第１及び第２の検出結果から校正用情報が演算される。測定時における複数の検出結果に校正用情報が適用されて複数の被測定領域の測色値がそれぞれ演算される。【選択図】図１
2018205021.tif 000002
【特許請求の範囲】
【請求項１】
二次元領域からの光から第１の光及び第２の光を生成する光学系と、
前記第１の光を受光し、前記二次元領域の複数の被測定領域の色彩にそれぞれ応じた複数の検出結果を出力し、前記複数の検出結果が前記複数の被測定領域に含まれる共通の被測定領域の色彩に応じた第１の検出結果を含む二次元カラーセンサーと、
前記第２の光を受光し、前記共通の被測定領域の輝度及び色彩に応じた第２の検出結果を出力する校正用センサーと、
前記第２の検出結果から演算される色度域が基準より広くなったか否か、又は輝度に対する色度域の変化量が基準より大きくなったか否かを判定するために用いられる値を前記第２の検出結果から演算する値演算部と、
前記色度域が前記基準より広くなった場合、又は輝度に対する色度域の変化量が基準より大きくなった場合に満たされる条件を前記値が満たすか否かを判定する判定部と、
前記値が前記条件を満たした状況下において校正時における前記第１の検出結果及び前記第２の検出結果を取得し、前記第１の検出結果に適用された場合に前記第１の検出結果から演算される測色値を前記第２の検出結果から演算される測色値に近づける校正用情報を演算する校正用情報演算部と、
測定時における前記複数の検出結果を取得し、前記複数の検出結果に前記校正用情報を適用して前記複数の検出結果から前記複数の被測定領域の測色値をそれぞれ演算する測色値演算部と、
を備える二次元測色装置。
【請求項２】
前記校正用情報は、複数の輝度にそれぞれ対応する複数の校正係数を含み、
前記測色値演算部は、前記測定時における前記第２の検出結果を取得し、前記第２の検出結果から測定時輝度を演算し、前記測定時輝度に対応する少なくともひとつの対応輝度を前記複数の輝度から選択し、前記少なくともひとつの対応輝度にそれぞれ対応する少なくともひとつの対応校正係数を前記複数の校正係数から選択し、前記複数の測定時検出結果に前記少なくともひとつの対応校正係数を適用して前記複数の測定時検出結果から前記複数の被測定領域の測色値をそれぞれ演算する
請求項１の二次元測色装置。
【請求項３】
前記少なくともひとつの対応輝度は、前記測定時輝度が前記複数の輝度に含まれる最低の輝度未満である場合は、前記最低の輝度であり、前記測定時輝度が前記最低の輝度以上場合は、前記複数の輝度において前記測定時輝度に一致する１個の輝度又は前記複数の輝度において前記測定時輝度を挟む隣接する２個の輝度であり、
前記少なくともひとつの対応校正係数は、前記少なくともひとつの対応輝度が前記最低の輝度である場合は、前記最低の輝度に対応する第１の１個の校正係数であり、前記少なくともひとつの対応輝度が前記１個の輝度である場合は、前記１個の輝度に対応する第２の１個の校正係数であり、前記少なくともひとつの対応輝度が前記２個の輝度である場合は、前記２個の輝度にそれぞれ対応する２個の対応校正係数であり、
前記測色値演算部は、
前記少なくともひとつの対応校正係数が前記第１の１個の校正係数である場合は、前記複数の測定時検出結果に前記第１の１個の校正係数を適用して前記複数の測定時検出結果から前記複数の被測定領域の測色値をそれぞれ演算し、
前記少なくともひとつの対応校正係数が前記第２の１個の校正係数である場合は、前記複数の測定時検出結果に前記第２の１個の校正係数を適用して前記複数の測定時検出結果から前記複数の被測定領域の測色値をそれぞれ演算し、
前記少なくともひとつの対応校正係数が前記２個の校正係数である場合は、前記２個の校正係数に対して補間を行い新たな校正係数を得、前記複数の測定時検出結果に前記新たな校正係数を適用して前記複数の測定時検出結果から前記複数の被測定領域の測色値をそれぞれ演算する
請求項２の二次元測色装置。
【請求項４】
前記値は、前記色度域の広さを示す値である
請求項１から３までのいずれかの二次元測色装置。
【請求項５】
前記値は、前記色度域の広さの前記第２の検出結果から演算される輝度に対する変化の大きさを示す値である
請求項１から３までのいずれかの二次元測色装置。
【請求項６】
前記校正用センサーは、分光放射輝度計である
請求項１から５までのいずれかの二次元測色装置。
【請求項７】
前記光学系は、
前記光を通過させる対物光学系と、
前記対物光学系を通過した光の一部を反射し前記第１の光及び前記第２の光の一方とし、前記対物光学系を通過した光の他の一部を透過させ前記第１の光及び前記第２の光の他方とするビームスプリッターと、
を備える
請求項１から６までのいずれかの二次元測色装置。
【請求項８】
前記光学系は、
前記光を通過させる対物光学系と
ミラーと、
前記対物光学系を通過した光が前記ミラーに反射され前記第１の光及び前記第２の光の一方となる位置と、前記対物光学系を通過した光が前記ミラーに反射されず前記第１の光及び前記第２の光の他方となる位置と、の間で前記ミラーの位置を切り替える切り替え機構と、
を備える
請求項１から６までのいずれかの二次元測色装置。
【発明の詳細な説明】
【技術分野】
【０００１】
本発明は、二次元測色装置に関する。
【背景技術】
【０００２】
（ａ）二次元色彩計において測色値に生じる誤差
一般的な二次元色彩計は、被測定物の複数の被測定領域からの光を受光し各被測定領域の色彩に応じた検出結果を出力する二次元カラーセンサーを備え、出力された検出結果から各被測定領域の測色値を演算する。二次元カラーセンサーは、各被測定領域からの光の分光放射輝度と出力する検出結果との関係を示す分光応答度を国際照明委員会（ＣＩＥ）により１９３１年に採択された等色関数等の等色関数に近似させるためのフィルターを備える。
【０００３】
当該分光応答度が等色関数に完全に一致する場合は、出力された検出結果から各被測定領域の正確な測色値を直接的に演算できるため、個々の二次元色彩計を生産時に校正する必要はない。しかし、当該分光応答度を等色関数に完全に一致させるフィルターを作製することは困難であるため、個々の二次元色彩計を生産時に校正する必要が生じる。校正は、各被測定領域からの光の分光放射輝度と補正された検出結果との関係を示す分光応答度が等色関数に一致するように補正の内容を決定することにより行われる。補正の内容は、被測定物のモデルごとに決定される。
【０００４】
二次元色彩計が校正される場合は、校正用の光源からの光を受光した二次元カラーセンサーにより出力される検出結果から演算される測色値が校正用の光源の正確な測色値に一致するように二次元カラーセンサーにより出力される検出結果に適用される校正係数が演算される。また、二次元色彩計により測定が行われる場合は、各被測定領域からの光を受光した二次元カラーセンサーにより出力される検出結果に演算された校正係数が適用され、二次元カラーセンサーにより出力される検出結果から各被測定領域の測色値が演算される。
【０００５】
被測定領域の分光放射輝度が校正用の光源の分光放射輝度と同じである場合は、誤差を含まない測色値を与える校正係数が演算される。このため、二次元カラーセンサーにより出力される検出結果に演算された校正係数が適用された場合は、二次元カラーセンサーにより出力される検出結果から演算される測色値に誤差が生じない。しかし、被測定領域の分光放射輝度が校正用の光源の分光放射輝度と同じでない場合は、誤差を含む測色値を与える校正係数が演算され、校正誤差が発生する。このため、二次元カラーセンサーにより出力される検出結果に演算された校正係数が適用された場合は、二次元カラーセンサーにより出力される検出結果から演算される測色値に誤差が生じる。
【０００６】
（ｂ）分光放射輝度の位置による変化
分光放射輝度は、位置により変化する場合がある。
【０００７】
例えば、自発光型の有機エレクトロルミネッセンス（ＥＬ）表示装置においては、画素を構成する有機発光ダイオード（ＯＬＥＤ）に流れる電流を制御するトランジスターのＶ−Ｉ特性等の性能を多数の画素に渡って均一にすることが困難であり、且つＯＬＥＤに流れる電流により分光放射輝度も異なるために、画素を構成するＯＬＥＤに流れる電流により決定される画素の分光放射輝度を多数の画素に渡って均一にすることが困難である。このため、有機ＥＬ表示装置においては、分光放射輝度が位置により変化する場合がある。
【０００８】
加えて、マイクロキャビティ構造を有する有機ＥＬ表示装置においては、画素を構成するマイクロキャビティの光路長を多数の多数にわたって均一にすることが困難であるため、画素を構成するマイクロキャビティの光路長により決定される画素を構成するマイクロキャビティから出射する干渉光のスペクトルを多数の画素に渡って均一にすることが困難である。このため、マイクロキャビティ構造を有する有機ＥＬ表示装置においては、特に分光放射輝度が位置により変化する場合がある。
【０００９】
ここで、マイクロキャビティ構造を有する有機ＥＬ表示装置において画素を構成するマイクロキャビティから出射する干渉光のスペクトルを多数の画素に渡って均一にすることが困難である点についてより詳細に説明する。
【００１０】
図２３は、マイクロキャビティ構造を有する有機ＥＬ表示装置の断面を図示する模式図である。
【００１１】
図２３に図示される有機ＥＬ表示装置９０００は、マイクロキャビティ構造を有し、カソード９０２０、有機ＥＬ層９０２１、カソード９０２２、有機ＥＬ層９０２３、カソード９０２４、有機ＥＬ層９０２５及びアノード９０２６を備える。有機ＥＬ層９０２１は、電子輸送層９０４０、発光層９０４１及び正孔輸送層９０４２を備える。有機ＥＬ層９０２３は、電子輸送層９０６０、発光層９０６１及び正孔輸送層９０６２を備える。有機ＥＬ層９０２５は、電子輸送層９０８０、発光層９０８１及び正孔輸送層９０８２を備える。
【００１２】
カソード９０２０及び有機ＥＬ層９０２１は、赤色画素９１００を構成する。カソード９０２２及び有機ＥＬ層９０２３は、緑色画素９１０１を構成する。カソード９０２４及び有機ＥＬ層９０２５は、青色画素９１０２を構成する。アノード９０２６は、赤色画素９１００、緑色画素９１０１及び青色画素９１０２に共通である。
【００１３】
赤色画素９１００から出射する光９１２０は、発光層９０４１から出射しカソード９０２０及びアノード９０２６に反射されることなく赤色画素９１００から出射する非干渉光９１４０に加えて、発光層９０４１から出射しカソード９０２０及びアノード９０２６に反射されてから赤色画素９１００から出射する干渉光９１４１を含む。光９１２０が干渉光９１４１を含むことにより、表示面の法線方向の赤色画素９１００の輝度である赤色画素９１００の正面輝度が高くなる。同様に、緑色画素９１０１から出射する光９１６０は、非干渉光９１８０に加えて、干渉光９１８１を含む。光９１６０が干渉光９１８１を含むことにより、緑色画素９１０１の正面輝度が高くなる。同様に、青色画素９１０２から出射する光９２００は、非干渉光９２２０に加えて、干渉光９２２１を含む。光９２００が干渉光９２２１を含むことにより、青色画素９１０２の正面輝度が高くなる。
【００１４】
干渉光９１４１のスペクトルは、有機ＥＬ層９０２１の膜厚ｄに依存する。一方で、有機ＥＬ層９０２１の膜厚ｄを多数の赤色画素９１００に渡って均一にすることは困難である。このため、干渉光９１４１のスペクトルを多数の赤色画素９１００に渡って均一にすることは困難である。同様に、干渉光９１８１のスペクトルを多数の緑色画素９１０１に渡って均一にすることは困難である。同様に、干渉光９２２１のスペクトルを多数の緑色画素９１０１に渡って均一にすることは困難である。
【００１５】
このように干渉光９１４１，９１８１及び９２２１のスペクトルをそれぞれ多数の赤色画素９１００、緑色画素９１０１及び青色画素９１０２に渡って均一にすることが困難であることは、分光放射輝度が位置により変化する原因となる。
【００１６】
図２４は、有機ＥＬ表示装置における中央、左側及び右側の相対分光放射輝度Le(λ)の例を示すグラフである。
【００１７】
図２４に示される例においては、中央、左側及び右側の分光放射輝度Le(λ)が互いに異なる。図２４に示される例においては、表１に示されるように、中央、左側及び右側の色度座標u'が互いに異なり、左側の色度座標u'と右側の色度座標u'との差Δが0.004になる。また、中央、左側及び右側の色度座標v'が互いに異なり、左側の色度座標v'と右側の色度座標v'との差Δが0.005になる。
【００１８】
【表１】
2018205021.tif 000003
【００１９】
（ｃ）相対分光放射輝度のGray値による変化
相対分光放射輝度は、Gray値（ＯＬＥＤに流す電流）により変化する場合がある。
【００２０】
図２５は、液晶表示装置における、Gray値が255,31及び10である場合の相対分光放射輝度Le(λ)の例を示すグラフである。図２６は、有機ＥＬ表示装置における、Gray値が255,31及び10である場合の相対分光放射輝度Le(λ)の例を示すグラフである。
【００２１】
図２５に示される例においては、Gray値が255,31及び10である場合の相対分光放射輝度Le(λ)が互いに異なる。図２５に示される例においては、表２に示されるように、Gray値が255,31及び10である場合の色度座標u'が互いに異なり、Gray値が255である場合の色度座標u'とGray値が10である場合の色度座標u'との差が0.0028になる。また、Gray値が255,31及び10である場合の色度座標v'が互いに異なり、Gray値が255である場合の色度座標v'とGray値が10である場合の色度座標v'との差が0.0262になる。
【００２２】
図２６に示される例においては、Gray値が255,31及び10である場合の相対分光放射輝度が互いに異なる。図２６に示される例においては、表２に示されるように、Gray値が255,31及び10である場合の色度座標u'が互いに異なり、Gray値が255である場合の色度座標u'とGray値が10である場合の色度座標u'との差が-0.0129になる。また、Gray値が255,31及び10である場合の色度座標v'が互いに異なり、Gray値が255である場合の色度座標v'とGray値が10である場合の色度座標v'との差が0.0075になる。
【００２３】
【表２】
2018205021.tif 000004
【００２４】
（ｄ）分光放射輝度の表示装置の個体による変化
分光放射輝度は、表示装置の個体により変化する場合がある。
【００２５】
図２７は、同一モデルの表示装置の個体No.1、No.2及びNo.3の分光放射輝度Le(λ)の例を示すグラフである。
【００２６】
図２７に示されるように、同一モデルの表示装置の個体No.1、No.2及びNo.3の分光放射輝度Le(λ)は、互いに異なる。
【００２７】
（ｅ）その他の事情
表示装置の開発は、表示装置に表示される画像をより鮮やかにするために、表示可能な色度域（Gamut）を広げる方向で開発が進んでいる。
【００２８】
（ｆ）二次元色彩計により表示装置が測定される場合に測色値に生じる誤差
先述したように、被測定領域の分光放射輝度が校正用の光源の分光放射輝度と同じでない場合は、演算される測色値に誤差が生じる。また、表示装置においては、分光放射輝度は、位置、表示輝度及び表示装置の個体により変化する。
【００２９】
このため、二次元色彩計により表示装置が測定される場合には、被測定領域の分光放射輝度が校正用の光源の分光放射輝度と同じでない状況が発生し、演算される測色値に誤差が生じる。
【００３０】
（ｇ）二次元色彩計において測色値に生じる誤差の抑制
特許文献１に記載された技術は、二次元測色計に関する（発明の名称）。
【００３１】
特許文献１に記載された技術においては、被測定光源からの光が収束させられ、収束させられた光の一部がビームスプリッタを透過し、ビームスプリッタを透過した光が回転フィルタをさらに透過し、ビームスプリッタ及び回転フィルタを透過した光が２次元受光センサに受光される。また、収束させられた光の一部がビームスプリッタにより反射され、反射された光が分光センサに受光される（要約及び段落００１３）。
【００３２】
特許文献１に記載された技術においては、分光センサにより検出された分光分布から被測定光源の三刺激値の真値が演算され、演算された三刺激値と分光センサの測定点に対応する２次元受光センサの画素の出力との関係式が算出され、算出された関係式に基づいて２次元受光センサの各画素の出力から各画素の三刺激値の真値が算出され、算出された各画素の三刺激値の真値から各画素の色度座標が算出される（段落００１７−００２２）。
【００３３】
特許文献１に記載された技術が先述の二次元色彩計に適用された場合は、各被測定領域の色彩に応じた検出結果が二次元色彩計を構成する二次元カラーセンサーにより出力されるとともに、複数の被測定領域のうちの共通の被測定領域の分光放射輝度が分光放射輝度計を構成する校正用センサーにより出力される二次元測色装置が構成される。また、二次元カラーセンサーにより出力される共通の被測定領域の色彩に応じた検出結果から演算される測色値が校正用センサーにより出力される共通の被測定領域の分光放射輝度から演算される測色値に一致するように二次元測色装置が校正される。二次元測色装置の校正は、生産時ではなく、使用時に行われる。
【００３４】
当該校正によれば、分光放射輝度の表示輝度による変化及び分光放射輝度の表示装置の個体による変化に起因して測色値に生じる誤差が解消する。
【先行技術文献】
【特許文献】
【００３５】
【特許文献１】特開平６−２０１４７２号公報
【発明の概要】
【発明が解決しようとする課題】
【００３６】
先述したように、特許文献１に記載された技術が先述の二次元色彩計に適用されることにより実現される二次元測色装置においては、分光放射輝度の表示輝度による変化及び分光放射輝度の表示装置の個体による変化に起因して測色値に生じる誤差が解消する。しかし、当該二次元測色装置においては、分光放射輝度の位置による変化に起因して測色値に生じる誤差は解消しない。
【００３７】
ここで、当該二次元測色装置において分光放射輝度の位置による変化に起因して測色値に生じる誤差の例を説明する。
【００３８】
図２８は、当該二次元測色装置における、白色、赤色、緑色及び青色が表示装置に表示された場合の輝度Lvと輝度Lvに生じる誤差ΔLvとの関係の例を示すグラフである。図２９は、当該二次元測色装置における、白色、赤色、緑色及び青色が表示装置に表示された場合の輝度Lvと色度座標u'に生じる誤差Δu'との関係の例を示すグラフである。図３０は、当該二次元測色装置における、白色、赤色、緑色及び青色が表示装置に表示された場合の輝度Lvと色度座標v'に生じる誤差Δv'との関係の例を示すグラフである。
【００３９】
図２８に示されるように、誤差ΔLv'は、輝度Lvが高い場合には著しく大きくならないが、輝度Lvが低い場合には著しく大きくなる場合がある。例えば、誤差ΔLv'は、輝度Lvがcd/m2以下である場合は、9%を超える場合がある。また、図２９及び図３０にそれぞれ示されるように、誤差Δu'及び誤差Δv'は、輝度Lvが高い場合には著しく大きくならないが、輝度Lvが低い場合には著しく大きくなる場合がある。例えば、表示装置に白色が表示された場合の誤差Δu'は、輝度Lvが0.3cd/m2以下であるときは、0.010を超える場合がある。
【００４０】
このように、特許文献１に記載された技術が先述の二次元色彩計に適用されることにより実現される二次元測色装置においては、分光放射輝度の位置による変化に起因して輝度Lvが低い場合に測色値に生じる誤差が大きくなる場合がある。近年普及が進んでいる有機ＥＬ表示装置においては、輝度Lvが低い状況下においても正確な測色値が求められることが多いため、輝度Lvが低い場合に測色値に生じる誤差が大きくなることには問題がある。
【００４１】
以下で説明する発明は、これらの問題を解決するためになされる。以下で説明する発明が解決しようとする課題は、二次元測色装置において、分光放射輝度の位置による変化に起因して輝度が低い場合に測色値に生じる誤差を抑制することである。
【課題を解決するための手段】
【００４２】
二次元測色装置においては、光学系が、二次元領域からの光から第１及び第２の光を生成し、二次元カラーセンサー及び校正用センサーが、第１及び第２の光をそれぞれ受光する。
【００４３】
校正用センサーは、二次元領域の複数の被測定領域の色彩にそれぞれ応じた複数の検出結果を出力する。複数の検出結果は、複数の被測定領域に含まれる共通の被測定領域の色彩に応じた第１の検出結果を含む。
【００４４】
校正用センサーは、共通の被測定領域の輝度及び色彩に応じた第２の検出結果を出力する。
【００４５】
第２の検出結果から演算される色度域が基準より広くなったか否か、又は輝度に対する色度域の変化量が基準より大きくなったか否かを判定するために用いられる値が第２の検出結果から演算され、色度域が基準より広くなった場合、又は輝度に対する色度域の変化量が基準より大きくなった場合に満たされる条件を値が満たすか否かが判定される。
【００４６】
値が条件を満たした状況下において校正時における第１及び第２の検出結果が取得され、第１の検出結果に適用された場合に第１の検出結果から演算される測色値を第２の検出結果から演算される測色値に近づける校正用情報が演算される。
【００４７】
測定時における複数の検出結果が取得され、複数の測定時検出結果に校正用情報が適用されて複数の検出結果から複数の被測定領域の測色値がそれぞれ演算される。
【発明の効果】
【００４８】
以下で説明する発明によれば、色度域が広くなった状況下、又は輝度に対する色度域の変化量が基準より大きくなった状況下において取得された第１及び第２の検出結果から演算された校正用情報が、色度域が狭くなった状況においても測定時における複数の検出結果に適用される。このため、色度域が狭くなった状況下、又は輝度に対する色度域の変化量が基準より大きくなった状況下において取得された第１及び第２の検出結果から演算された校正用情報が、色度域が狭くなった状況下において複数の検出結果に適用されることにより複数の被測定領域の測色値に生じる誤差が抑制される。したがって、分光放射輝度の位置による変化に起因して輝度が低い場合に測色値に生じる誤差が抑制される。
【００４９】
この発明の目的、特徴、局面、および利点は、以下の詳細な説明と添付図面とによって、より明白となる。
【図面の簡単な説明】
【００５０】
【図１】第１実施形態の二次元測色装置の外観を図示する模式図である。
【図２】第１実施形態の二次元測色装置の内部構造を図示する模式図である。
【図３】第１実施形態の二次元測色装置により測色が行われる、表示装置の表示面を図示する模式図である。
【図４】第１実施形態の二次元測色装置に備えられる演算部を図示するブロック図である。
【図５】色が赤色でありLvが320cd/m2及び280cd/m2である場合の相対分光放射輝度を示すグラフである。
【図６】色が赤色でありLvが1.4cd/m2及び0.5cd/m2である場合の相対分光放射輝度を示すグラフである。
【図７】色が緑色でありLvが320cd/m2及び280cd/m2である場合の相対分光放射輝度を示すグラフである。
【図８】色が緑色でありLvが1.4cd/m2及び0.5cd/m2である場合の相対分光放射輝度を示すグラフである。
【図９】色が青色でありLvが320cd/m2及び280cd/m2である場合の相対分光放射輝度を示すグラフである。
【図１０】色が青色でありLvが1.4cd/m2及び0.5cd/m2である場合の相対分光放射輝度を示すグラフである。
【図１１】第１実施形態の二次元測色装置における校正用情報の内容を説明する図である。
【図１２】第１実施形態の二次元測色装置において利用される校正係数を説明する図である。
【図１３】第１実施形態の二次元測色装置において利用される校正係数を説明する図である。
【図１４】第１実施形態の二次元測色装置において利用される校正係数を説明する図である。
【図１５】第１実施形態の二次元測色装置により行われる測色の流れを図示するフローチャートである。
【図１６】第１実施形態の二次元測色装置における校正係数の演算の流れを図示するフローチャートである。
【図１７】第１実施形態の二次元測色装置における校正係数の演算の流れを図示するフローチャートである。
【図１８】液晶表示装置及び有機ＥＬ表示装置における色度域の広さを示す値NTSC ratioの輝度Lvによる変化を示すグラフである。
【図１９】第１実施形態の二次元測色装置における、白色、赤色、緑色及び青色が表示装置に表示された場合の輝度Lvと輝度Lvに生じる誤差ΔLvとの関係の例を示すグラフである。
【図２０】第１実施形態の二次元測色装置における、白色、赤色、緑色及び青色が表示装置に表示された場合の輝度Lvと色度座標u'に生じる誤差Δu'との関係の例を示すグラフである。
【図２１】第１実施形態の二次元測色装置における、白色、赤色、緑色及び青色が表示装置に表示された場合の輝度Lvと色度座標v'に生じる誤差Δv'との関係の例を示すグラフである。
【図２２】第１実施形態の二次元測色装置においてハーフミラーからなる分離光学系に代えて採用される分離光学系を図示する模式図である。
【図２３】マイクロキャビティ構造を有する有機ＥＬ表示装置の断面を図示する模式図である。
【図２４】有機ＥＬ表示装置における、中央、左側及び右側の相対分光放射輝度Le(λ)の例を示すグラフである。
【図２５】液晶表示装置における、Gray値が255,31及び10である場合の相対分光放射輝度Le(λ)の例を示すグラフである。
【図２６】有機ＥＬ表示装置における、Gray値が255,31及び10である場合の相対分光放射輝度Le(λ)の例を示すグラフである。
【図２７】同一モデルの表示装置の個体No.1、No.2及びNo.3の分光放射輝度Le(λ)の例を示すグラフである。
【図２８】二次元測色装置における、白色、赤色、緑色及び青色が表示装置に表示された場合の輝度Lvと輝度Lvに生じる誤差ΔLvとの関係の例を示すグラフである。
【図２９】二次元測色装置における、白色、赤色、緑色及び青色が表示装置に表示された場合の輝度Lvと色度座標u'に生じる誤差Δu'との関係の例を示すグラフである。
【図３０】二次元測色装置における、白色、赤色、緑色及び青色が表示装置に表示された場合の輝度Lvと色度座標v'に生じる誤差Δv'との関係の例を示すグラフである。
【発明を実施するための形態】
【００５１】
１  二次元測色装置
図１は、第１実施形態の二次元測色装置の外観を図示する模式図である。図２は、第１実施形態の二次元測色装置の内部構造を図示する模式図である。図３は、第１実施形態の二次元測色装置により測色が行われる、表示装置の表示面を図示する模式図である。
【００５２】
図１及び図２に図示される二次元測色装置１０００は、図１及び図２に図示される表示装置１０２０の表示面１０４０の測色を行う。
【００５３】
二次元測色装置１０００は、図３に図示される表示面１０４０の被測定領域１０６０，１０６１，１０６２，１０６３，１０６４，１０６５，１０６６，１０６７及び１０６８の測色を行う。被測定領域１０６０，１０６１，１０６２，１０６３，１０６４，１０６５，１０６６，１０６７及び１０６８は、マトリクス状に配置される。マトリクス状に配置される９個の被測定領域１０６０，１０６１，１０６２，１０６３，１０６４，１０６５，１０６６，１０６７及び１０６８が、マトリクス状に配列される２個以上８個以下の被測定領域に置き換えられてもよく、マトリクス状に配列される１０個以上の被測定領域に置き換えられてもよく、マトリクス状に配列されない２個以上の被測定領域に置き換えられてもよい。
【００５４】
二次元測色装置１０００は、図２に図示されるように、光学系１０８０、二次元カラーセンサー１０８１、校正用センサー１０８２及び演算部１０８３を備える。二次元測色装置１０００がこれらの構成物以外の構成物を備えてもよい。
【００５５】
光学系１０８０は、対物光学系１１００、ハーフミラー１１０１及び集光光学系１１０２を備える。光学系１０８０がこれらの構成物以外の構成物を備えてもよい。ハーフミラー１１０１がハーフミラー１１０１以外のビームスプリッターに置き換えられてもよい。
【００５６】
表示面１０４０からの光１１２０は、対物光学系１１００を通過する。対物光学系１１００を通過した光１１２１は、ハーフミラー１１０１により分離される。このため、対物光学系１１００を通過した光１１２１の一部は、ハーフミラー１１０１により反射される。また、対物光学系１１００を通過した光１１２１の他の一部は、ハーフミラー１１０１を透過する。ハーフミラー１１０１により反射された光１１２２は、二次元カラーセンサー１０８１により受光される。ハーフミラー１１０１を透過した光１１２３は、集光光学系１１０２を通過する。ハーフミラー１１０１及び集光光学系１１０２を通過した光１１２４は、校正用センサー１０８２により受光される。これらにより、光学系１０８０は、表示面１０４０からの光１１２０から二次元カラーセンサー１０８１により受光される光１１２２及び校正用センサー１０８２により受光される光１１２３を生成する。ハーフミラー１１０１により反射された光１１２２が校正用センサー１０８２により受光されハーフミラー１１０１を透過した光１１２３が二次元カラーセンサー１０８１により受光されることも許される。
【００５７】
二次元カラーセンサー１０８１は、対物光学系１１００を通過しハーフミラー１１０１により反射された光１１２２の結像位置に配置され、被測定領域１０６０，１０６１，１０６２，１０６３，１０６４，１０６５，１０６６，１０６７及び１０６８からの光を受光し、被測定領域１０６０，１０６１，１０６２，１０６３，１０６４，１０６５，１０６６，１０６７及び１０６８の色彩にそれぞれ応じた検出結果Ａ０，Ａ１，Ａ２，Ａ３，Ａ４，Ａ５，Ａ６，Ａ７及びＡ８を出力する。検出結果Ａ０，Ａ１，Ａ２，Ａ３，Ａ４，Ａ５，Ａ６，Ａ７及びＡ８は、被測定領域１０６０，１０６１，１０６２，１０６３，１０６４，１０６５，１０６６，１０６７及び１０６８に含まれる共通の被測定領域１０６０の色彩に応じた検出結果Ａ０を含む。検出結果Ａ０，Ａ１，Ａ２，Ａ３，Ａ４，Ａ５，Ａ６，Ａ７及びＡ８の各々は、ＲＧＢ表色系における赤色（Ｒ）成分、緑色（Ｇ）成分及び青色（Ｂ）成分を示す信号からなる。ＲＧＢ表色系におけるＲ成分、Ｇ成分及びＢ成分を示す信号が他の種類の色彩に応じた信号に置き換えられてもよい。例えば、ＲＧＢ表色系におけるＲ成分、Ｇ成分及びＢ成分を示す信号がＸＹＺ表色系におけるＸ成分、Ｙ成分及びＺ成分を示す信号に置き換えられてもよい。
【００５８】
二次元カラーセンサー１０８１は、ＲＧＢ表色系におけるＲ成分、Ｇ成分及びＢ成分を示す信号を出力するため、表示面１０４０からの光１１２０の分光放射輝度とＲ成分を示す信号との関係を示す分光応答度を適切なものにするためのＲフィルター、表示面１０４０からの光１１２０の分光放射輝度とＧ成分を示す信号との関係を示す分光応答度を適切なものにするためのＧフィルター及び表示面１０４０からの光１１２０の分光放射輝度とＢ成分を示す信号との関係を示す分光応答度を適切なものにするためのＢフィルターを備える。
【００５９】
二次元カラーセンサー１０８１は、例えば横１９２０画素×縦１０８０画素を有する。被測定領域１０６０，１０６１，１０６２，１０６３，１０６４，１０６５，１０６６，１０６７及び１０６８の各々の測色には、例えば直径上に２００個の画素を配列できる円形領域の内部に含まれる画素、各辺上に１００個の画素を配列できる正方形領域の内部に含まれる画素等が割り当てられる。
【００６０】
校正用センサー１０８２は、被測定領域１０６０，１０６１，１０６２，１０６３，１０６４，１０６５，１０６６，１０６７及び１０６８に含まれる共通の被測定領域１０６０の輝度及び色彩に応じた検出結果Ｂ０を出力する。校正用センサー１０８２は、分光放射輝度計であり、検出結果Ｂ０は、共通の被測定領域１０６０の分光放射輝度を示す信号からなる。校正用センサー１０８２が、分光放射輝度計以外の高精度センサーであってもよい。
【００６１】
二次元カラーセンサー１０８１により構成される二次元色彩計及び校正用センサー１０８２により構成される分光放射輝度計に共通の被測定領域１０６０は、典型的には表示面１０４０の中心部にあり、典型的には被測定領域１０６０，１０６１，１０６２，１０６３，１０６４，１０６５，１０６６，１０６７及び１０６８の中央にある。しかし、共通の被測定領域１０６０が表示面１０４０の中心部以外にあってもよく、被測定領域１０６０，１０６１，１０６２，１０６３，１０６４，１０６５，１０６６，１０６７及び１０６８の中央以外にあってもよい。
【００６２】
演算部１０８３は、二次元カラーセンサー１０８１から検出結果Ａ０，Ａ１，Ａ２，Ａ３，Ａ４，Ａ５，Ａ６，Ａ７及びＡ８を取得し、校正用センサー１０８２から検出結果Ｂ０を取得する。また、演算部１０８３は、校正時における検出結果Ａ０Ｃ及びＢ０Ｃ（以下、校正時検出結果と呼ぶ）から校正用情報を演算する。さらに、演算部１０８３は、測定時における検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍ（以下、測定時検出結果と呼ぶ）に演算した校正用情報を適用し、測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍから被測定領域１０６０，１０６１，１０６２，１０６３，１０６４，１０６５，１０６６，１０６７及び１０６８の測色値をそれぞれ演算する。
【００６３】
２  演算部
図４は、第１実施形態の二次元測色装置に備えられる演算部を図示するブロック図である。
【００６４】
図４に図示される演算部１０８３は、インストールされたプログラムを実行するコンピューターであり、値演算部１１４０、判定部１１４１、校正用情報演算部１１４２及び測色値演算部１１４３を備える。演算部１０８３がこれらの構成物以外の構成物を備えてもよい。コンピューターにより行われる処理の全部又は一部がプログラムを実行しないハードウェアにより行われてもよい。
【００６５】
値演算部１１４０は、校正用センサー１０８２の検出結果Ｂ０から色度域の広さを示す値Gamutを演算する。
【００６６】
判定部１１４１は、値Gamutが閾値Bより大きいという条件を値Gamutが満たすか否かを判定する。
【００６７】
値Gamutは、校正用センサー１０８２の検出結果Ｂ０から演算される色度域が基準より広くなったか否かを判定するために用いられる。値Gamutが閾値Bより大きいという条件は、校正用センサー１０８２の検出結果Ｂ０から演算される色度域が基準より広くなった場合に満たされる。
【００６８】
校正用情報演算部１１４２は、値Gamutが閾値Bより大きいという条件を値Gamutが満たした状況下において、すなわち校正用センサー１０８２の検出結果Ｂ０から演算される色度域が基準より広くなった状況下において、二次元カラーセンサー１０８１の校正時検出結果Ａ０Ｃ及び校正用センサー１０８２の校正時検出結果Ｂ０Ｃを取得し、校正用情報を演算する。校正用情報は、それが二次元カラーセンサー１０８１の校正時検出結果Ａ０Ｃに適用された場合に二次元カラーセンサー１０８１の校正時検出結果Ａ０Ｃから演算される測色値が校正用センサー１０８２の校正時検出結果Ｂ０Ｃから演算される測色値に近づくように演算され、望ましくはそれが二次元カラーセンサー１０８１の校正時検出結果Ａ０Ｃに適用された場合に二次元カラーセンサー１０８１の校正時検出結果Ａ０Ｃから演算される測色値が校正用センサー１０８２の校正時検出結果Ｂ０Ｃから演算される測色値に一致するように演算される。これにより、二次元カラーセンサー１０８１の検出結果Ａ０が校正され、二次元カラーセンサー１０８１の検出結果Ａ０から演算される測色値に生じる誤差が小さくなる。したがって、共通の被測定領域１０６０について校正が行われる。
【００６９】
測色値演算部１１４３は、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍを取得し、取得した二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍに演算された校正用情報を適用して二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍから被測定領域１０６０，１０６１，１０６２，１０６３，１０６４，１０６５，１０６６，１０６７及び１０６８の測色値をそれぞれ演算する。
【００７０】
これにより、色度域が広くなった状況下において取得された二次元カラーセンサー１０８１の校正時検出結果Ａ０Ｃ及び校正用センサー１０８２の校正時検出結果Ｂ０Ｃから演算された校正用情報が、色度域が狭くなった状況下においても二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍに適用される。このため、色度域が狭くなった状況下において取得された二次元カラーセンサー１０８１の校正時検出結果Ａ０Ｃ及び校正用センサー１０８２の校正時検出結果Ｂ０Ｃから演算された校正用情報が、色度域が狭くなった状況下において二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍに適用されることにより被測定領域１０６０，１０６１，１０６２，１０６３，１０６４，１０６５，１０６６，１０６７及び１０６８の測色値により生じる誤差が抑制される。したがって、分光放射輝度の位置による変化に起因して輝度が低い場合に測色値に生じる誤差が抑制される。
【００７１】
また、共通の被測定領域１０６０について校正を行うことにより演算された校正用情報が、共通の被測定領域１０６０以外の被測定領域１０６１，１０６２，１０６３，１０６４，１０６５，１０６６，１０６７及び１０６８についてそれぞれ取得される二次元カラーセンサー１０８１の測定時検出結果Ａ１Ｍ，Ａ２Ｍ，Ａ３Ｍ，Ａ４Ｍ，Ａ５Ｍ，Ａ６Ｍ，Ａ７Ｍ及びＡ８Ｍに適用される。
【００７２】
３  共通の被測定領域についてのみ校正を行うことの技術的意義
一見しただけでは、被測定領域１０６０，１０６１，１０６２，１０６３，１０６４，１０６５，１０６６，１０６７及び１０６８の分光放射輝度が互いに異なることに起因する誤差は、共通の被測定領域１０６０についてのみ校正を行うことによっては解消しないようにも見える。また、色度域の広さも当該誤差とは無関係であるように見える。そこで、色度域が広くなった状況下において共通の被測定領域１０６０についてのみ校正を行うことの技術的意義を説明する。
【００７３】
一般的に言って、色度域が狭く色が無彩色に近い状況下において校正が行われても、測色値に生じる誤差を抑制することはできない。また、色度域の広さの輝度による変化が大きい状況下において校正が行われても、分光放射輝度の位置による変化が大きいため、測色値に生じる誤差を抑制することはできない。
【００７４】
これらのことから、先述の校正においては、色度域の広さの輝度による変化が大きい状況下において校正が行われることを回避するために、輝度が低い場合に色度域の広さの輝度による変化が大きくなるという経験則に基づいて、色度域の広さを示す値Gamutを監視しながら測色値に生じる誤差を抑制できる校正用情報が演算される。
【００７５】
測色値に生じる誤差は、分光放射輝度が位置により変化することに起因して生じるとともに、相対分光放射輝度が輝度により変化することに起因して生じる。そして、被測定領域の輝度が低い場合には、相対分光放射輝度が輝度により変化することの影響が支配的になる。このため、相対分光放射輝度が輝度により変化することの影響を抑制できる先述の校正が行われた場合は、被測定領域１０６０についてのみ校正が行われた場合であっても測色値に生じる誤差が抑制される。例えばLvが320cd/m2から280cd/m2まで40cd/m2変化した場合とLvが1.4cd/m2から0.5cd/m2まで0.9cd/m2変化した場合のNTSC基準の色度域と各々相対分光放射輝度は表３と図５から図１０までのようになり低輝度の場合、急激に相対分光放射輝度が大きく変化し、色度域も小さくなる。なお、図５は、色が赤色でありLvが320cd/m2及び280cd/m2である場合の相対分光放射輝度を示すグラフである。図６は、色が赤色でありLvが1.4cd/m2及び0.5cd/m2である場合の相対分光放射輝度を示すグラフである。図７は、色が緑色でありLvが320cd/m2及び280cd/m2である場合の相対分光放射輝度を示すグラフである。図８は、色が緑色でありLvが1.4cd/m2及び0.5cd/m2である場合の相対分光放射輝度を示すグラフである。図９は、色が青色でありLvが320cd/m2及び280cd/m2である場合の相対分光放射輝度を示すグラフである。図１０は、色が青色でありLvが1.4cd/m2及び0.5cd/m2である場合の相対分光放射輝度を示すグラフである。
【００７６】
【表３】
2018205021.tif 000005
【００７７】
４  校正用情報
図１１は、第１実施形態の二次元測色装置における校正用情報の内容を説明する図である。
【００７８】
図１１に図示されるように、表示面１０４０に表示される白色のGray値が0,1c,...,(m-1)c,mc,mc+d,...,255に設定された場合は、色度域の広さを示す値GamutがそれぞれGamut(0),Gamut(1c),...,Gamut((m-1)c),Gamut(mc),Gamut(mc+d),...,Gamut(255)になり、校正用センサー１０８２の検出結果Ｂ０から演算される輝度LvがそれぞれLv(0),Lv(1c),...,Lv((m-1)c),Lv(mc),Lv(mc+d),...,Lv(255)になる。
【００７９】
また、図１１に図示されるように、校正用情報演算部１１４２により演算される校正用情報１１６０は、値Gamutが閾値Bより大きくなる複数の輝度Lv(mc),Lv(mc+d),....,Lv(255)にそれぞれ対応する複数の校正係数A(Lv(mc)),A(Lv(mc+d)),....,A(Lv(255))を含む。しかし、校正用情報１１６０は、値Gamutが閾値B以下になるLv(0),Lv(1c),...,Lv((m-1)c)に対応する校正係数を含まない。
【００８０】
５  適用される校正係数
図１２、図１３及び図１４は、第１実施形態の二次元測色装置において利用される校正係数を説明する図である。
【００８１】
測色値演算部１１４３は、取得した二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍに適用される校正係数を校正係数A(Lv(mc)),A(Lv(mc+d)),....,A(Lv(255))から選択するために、測定時に校正用センサー１０８２の検出結果Ｂ０がとる校正用センサー１０８２の測定時検出結果Ｂ０Ｍを取得し、取得した校正用センサー１０８２の測定時検出結果Ｂ０Ｍから測定時輝度Lv_mを演算する。校正用センサー１０８２の測定時検出結果Ｂ０Ｍは、測定用の画像が表示面１０４０に表示された状態において測色値演算部１１４３により取得される。校正用センサー１０８２の測定時検出結果Ｂ０Ｍは、分光放射輝度Le(Lv_m,λ)からなる。
【００８２】
また、測色値演算部１１４３は、測定時輝度Lv_mに対応する少なくともひとつの対応輝度を輝度Lv(0),Lv(1c),...,Lv((m-1)c),Lv(mc),Lv(mc+d),...,Lv(255)から選択し、選択した少なくともひとつの対応輝度にそれぞれ対応する少なくともひとつの対応校正係数を校正係数A(Lv(mc)),A(Lv(mc+d)),....,A(Lv(255))から選択し、取得した二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍに選択した少なくともひとつの対応校正係数を適用して二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍから被測定領域１０６０，１０６１，１０６２，１０６３，１０６４，１０６５，１０６６，１０６７及び１０６８の測色値をそれぞれ演算する。
【００８３】
測定時輝度Lv_mが輝度Lv(mc),Lv(mc+d),....,Lv(255)に含まれる最低の輝度Lv(mc)未満である場合は、図１２に図示されるように、最低の輝度Lv(mc)が少なくともひとつの対応輝度（１個の対応輝度）になり、最低の輝度Lv(mc)に対応する校正係数A(Lv(mc))が少なくともひとつの対応校正係数（１個の対応校正係数）になる。また、校正係数A(Lv(mc))が二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍにそのまま適用される。
【００８４】
測定時輝度Lv_mが最低の輝度Lv(mc)以上であり輝度Lv(mc),Lv(mc+d),....,Lv(255)において輝度Lv(mc+nd)に一致する場合は、図１３に図示されるように、輝度Lv(mc+nd)が少なくともひとつの対応輝度（１個の対応輝度）になり、輝度Lv(mc+nd)に対応する校正係数A(Lv(mc+nd))が少なくともひとつの対応校正係数（１個の対応校正係数）になる。また、校正係数A(Lv(mc+nd))が二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍにそのまま適用される。
【００８５】
測定時輝度Lv_mが最低の輝度Lv(mc)以上であり輝度Lv(mc),Lv(mc+d),....,Lv(255)において隣接する２個の輝度Lv(mc+nd)及びLv(mc+(n+1)d)に挟まれる場合は、図１４に図示されるように、輝度Lv(mc+nd)及びLv(mc+(n+1)d)が少なくともひとつの対応輝度（２個の対応輝度）になり、輝度Lv(mc+nd)及びLv(mc+(n+1)d)にそれぞれ対応する校正係数A(Lv(mc+nd))及びA(Lv(mc+(n+1)d))が少なくともひとつの対応校正係数（２個の対応校正係数）になる。また、校正係数A(Lv(mc+nd))及びA(Lv(mc+(n+1)d))に対して補間が行われ新たな校正係数が得られ、得られた新たな校正係数が二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍに適用される。
【００８６】
６  測色
図１５は、第１実施形態の二次元測色装置により行われる測色の流れを図示するフローチャートである。
【００８７】
図１５に図示されるように、ステップＳ１０１においては、校正用情報演算部１１４２が校正用情報１１６０を構成する校正係数A(Lv(mc)),A(Lv(mc+d)),...,A(Lv(255))を演算する。校正係数A(Lv(mc)),A(Lv(mc+d)),...,A(Lv(255))の演算の詳細は後述する。
【００８８】
続くステップＳ１０２においては、測定用の画像が表示面１０４０に表示される。
【００８９】
続くステップＳ１０３においては、測色値演算部１１４３が、測定用の画像が表示面１０４０に表示された状態において、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍを取得する。二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍの各々は、ＲＧＢ表色系におけるＲ成分R(i,j)、Ｇ成分G(i,j)及びＢ成分B(i,j)からなる。位置座標値(i,j)は、左右方向の位置座標値i及び上下方向の位置座標値jの組であり、被測定領域の表示面１０４０における位置を示す。
【００９０】
続くステップＳ１０４においては、測色値演算部１１４３が、測定用の画像が表示面１０４０に表示された状態において、校正用センサー１０８２の測定時検出結果Ｂ０Ｍを取得する。校正用センサー１０８２の測定時検出結果Ｂ０Ｍは、分光放射輝度Le(Lv_m,λ)からなる。
【００９１】
ステップＳ１０３及びＳ１０４の実行順序が変更されてもよい。
【００９２】
続くステップＳ１０５においては、測色値演算部１１４３が、取得した分光放射輝度Le(Lv_m,λ)から測定時輝度Lv_mを演算し、演算した測定時輝度Lv_mに基づいて校正係数A(Lv(mc)),A(Lv(mc+d)),...,A(Lv(255))から実際に適用される校正係数A(Lv_m)を取得する。校正係数A(Lv_m)の取得の手順は、「５  適用される校正係数」において説明した。
【００９３】
続くステップＳ１０６においては、測色値演算部１１４３が、取得した校正係数A(Lv_m)を測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍの各々に適用する。校正係数A(Lv_m)は、校正行列であり、ＲＧＢ表色系におけるＲ成分R(i,j)、Ｇ成分G(i,j)及びＢ成分B(i,j)からＸＹＺ表色系における三刺激値であるＸ成分X(i,j)、Ｙ成分Y(i,j)及びＺ成分(i,j)への変換行列を兼ねる。校正係数A(Lv_m)の適用は、式（１）に従って行われる。これにより、ＸＹＺ表色系における測色値であるＸ成分X(i,j)、Ｙ成分Y(i,j)及びＺ成分(i,j)が演算される。
【００９４】
【数１】
2018205021.tif 000006
【００９５】
変換行列を兼ねる校正行列である校正係数A(Lv_m)に代えて互いに独立した変換行列及び校正行列が準備され、校正行列が適用された後に変換行列が適用されてもよい。測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍの各々がＸＹＺ表色系におけるＸ成分、Ｙ成分及びＺ成分からなる場合は、変換行列を兼ねる校正行列である校正係数A(Lv_m)に代えて変換行列を兼ねない校正行列が準備され適用される。
【００９６】
続くステップＳ１０７においては、ＸＹＺ表色系における測色値であるＸ成分X(i,j)、Ｙ成分Y(i,j)及びＺ成分(i,j)がＬｕ’ｖ’表色系における測色値である輝度Lv、色度座標u'及び色度座標v'に変換される。ＸＹＺ表色系における測色値がＬｕ’ｖ’表色系における測色値以外の測色値に変換されてもよい。例えば、ＸＹＺ表色系における測色値がＲＧＢ表色系、ｘｙＹ表色系、Ｌ＊ｕ＊ｖ＊表色系、Ｌ＊ａ＊ｂ＊表色系、Ｌ＊ｃ＊ｈ表色系、ハンターＬａｂ表色系、マンセル表色系等における測色値等に変換されてもよい。ステップＳ１０７の実行が省略されステップＳ１０６において演算された測色値が出力されてもよい。
【００９７】
７  校正係数の演算
図１６及び図１７は、第１実施形態の二次元測色装置における校正係数の演算の流れを図示するフローチャートである。
【００９８】
図１６に図示される前半のステップＳ１１１からＳ１２３までにおいては、色度域が基準より広くなったか否かが判定され、図１７に図示される後半のステップＳ１２４からＳ１３５までにおいては、色度域が基準より広くなった状況下において二次元測色装置１０００の校正が行われる。行われた校正は、色度域が基準より広い状況下で行われる測定だけでなく、色度域が基準より狭い状況下で行われる測定にも反映される。
【００９９】
ステップＳ１１１においては、表示面１０４０に表示される校正用画像のGray値が最低値0に設定される。
【０１００】
続くステップＳ１１２においては、表示面１０４０に白色が校正用画像として表示される。表示される白色は、その時点で設定されているGray値を有する。
【０１０１】
続くステップＳ１１３においては、表示面１０４０に白色が表示された状態において、値演算部１１４０が、校正用センサー１０８２の検出結果Ｂ０を取得する。取得した校正用センサー１０８２の検出結果Ｂ０は、分光放射輝度Le_w(λ)からなる。
【０１０２】
続くステップＳ１１４においては、表示面１０４０に赤色が表示される。表示される赤色の赤色成分の大きさは、ステップＳ１１２において表示される白色の赤色成分の大きさに一致する。
【０１０３】
続くステップＳ１１５においては、表示面１０４０に赤色が表示された状態において、値演算部１１４０が、校正用センサー１０８２の検出結果Ｂ０を取得する。取得した校正用センサー１０８２の検出結果Ｂ０は、分光放射輝度Le_r(λ)からなる。
【０１０４】
続くステップＳ１１６においては、表示面１０４０に緑色が表示される。表示される緑色の緑色成分の大きさは、ステップＳ１１２において表示される白色の緑色成分の大きさに一致する。
【０１０５】
続くステップＳ１１７においては、表示面１０４０に緑色が表示された状態において、値演算部１１４０が、校正用センサー１０８２の検出結果Ｂ０を取得する。取得した校正用センサー１０８２の検出結果Ｂ０は、分光放射輝度Le_g(λ)からなる。
【０１０６】
続くステップＳ１１８においては、表示面１０４０に青色が表示される。表示される青色の青色成分の大きさは、ステップＳ１１２において表示される白色の青色成分の大きさに一致する。
【０１０７】
続くステップＳ１１９においては、表示面１０４０に青色が表示された状態において、値演算部１１４０が、校正用センサー１０８２の検出結果Ｂ０を取得する。取得した校正用センサー１０８２の検出結果は、分光放射輝度Le_b(λ)からなる。
【０１０８】
ステップＳ１１２及びＳ１１３からなるステップ群、ステップＳ１１４及びＳ１１５からなるステップ群、ステップＳ１１６及びＳ１１７からなるステップ群、並びにステップＳ１１８及びＳ１１９からなるステップ群からなる４個のステップ群の実行順序が変更されてもよい。
【０１０９】
続くステップＳ１２０においては、値演算部１１４０が、取得した分光放射輝度Le_r(λ),Le_g(λ)及びLe_b(λ)から色度域の広さを示す値Gamutを演算する。
【０１１０】
続くステップＳ１２１においては、判定部１１４１が、値Gamutが閾値Bより大きいか否かを判定する。値Gamutが閾値B以下であると判定された場合は、処理がステップＳ１２２に進められる。値Gamutが閾値Bより大きいと判定された場合は、処理がステップＳ１２３に進められる。
【０１１１】
ステップＳ１２２においては、表示面１０４０に表示される校正用画像のGray値が増分値cだけインクリメントされる。Gray値が増分値cだけインクリメントされた後には、処理がステップＳ１１２に進められる。
【０１１２】
ステップＳ１１１からＳ１２２までによれば、値Gamutが閾値Bより大きくなるまで、すなわち校正用センサー１０８２の検出結果Ｂ０から演算される色度域が基準より広くなるまで、表示面１０４０に表示される校正用画像のGray値が増加させられ、表示面１０４０に表示される白色、赤色、緑色及び青色が明るくされる。
【０１１３】
続くステップＳ１２３においては、値演算部１１４０が、取得した分光放射輝度Le_w(λ)から輝度Lvを演算する。輝度Lvの演算は、ＸＹＺ表色系における等色関数のy成分y(λ)を用いて、式（２）に従って行われる。
【０１１４】
【数２】
2018205021.tif 000007
【０１１５】
色度域が基準より広くなった後に被測定領域１０６０の輝度がさらに高くなった場合は、色度域が基準より広い状況が維持される。このため、被測定領域１０６０の輝度がさらに高くなる後半のステップＳ１２４からＳ１３５までは、色度域が基準より広くなった状況下において実行される。
【０１１６】
ステップＳ１２４においては、表示面１０４０に白色が表示される。表示される白色は、その時点で設定されているGray値を有する。
【０１１７】
続くステップＳ１２５においては、校正用情報演算部１１４２が、表示面１０４０に白色が表示された状態において、二次元カラーセンサー１０８１の校正時検出結果Ａ０Ｃ及び校正用センサー１０８２の校正時検出結果Ｂ０Ｃを取得する。取得した二次元カラーセンサー１０８１の校正時検出結果Ａ０Ｃは、赤色成分R_w(m,n)、緑色成分G_w(m,n)及び青色成分B_w(m,n)からなる。取得した校正用センサー１０８２の校正時検出結果Ｂ０Ｃは、分光放射輝度Le_w(λ)からなる。
【０１１８】
続くステップＳ１２６においては、表示面１０４０に赤色が表示される。表示される赤色の赤色成分の大きさは、ステップＳ１２４において表示される白色の赤色成分の大きさに一致する。
【０１１９】
続くステップＳ１２７においては、校正用情報演算部１１４２が、表示面１０４０に赤色が表示された状態において、二次元カラーセンサー１０８１の校正時検出結果Ａ０Ｃ及び校正用センサー１０８２の校正時検出結果Ｂ０Ｃを取得する。取得した二次元カラーセンサー１０８１の校正時検出結果Ａ０Ｃは、赤色成分R_r(m,n)、緑色成分G_r(m,n)及び青色成分B_r(m,n)からなる。取得した校正用センサー１０８２の校正時検出結果Ｂ０Ｃは、分光放射輝度Le_r(λ)からなる。
【０１２０】
続くステップＳ１２８においては、表示面１０４０に緑色が表示される。表示される緑色の緑色成分の大きさは、ステップＳ１２４において表示される白色の緑色成分の大きさに一致する。
【０１２１】
続くステップＳ１２９においては、校正用情報演算部１１４２が、表示面１０４０に緑色が表示された状態において、二次元カラーセンサー１０８１の校正時検出結果Ａ０Ｃ及び校正用センサー１０８２の校正時検出結果Ｂ０Ｃを取得する。取得した二次元カラーセンサー１０８１の校正時検出結果Ａ０Ｃは、赤色成分R_g(m,n)、緑色成分G_g(m,n)及び青色成分B_g(m,n)からなる。取得した校正用センサー１０８２の校正時検出結果Ｂ０Ｃは、分光放射輝度Le_g(λ)からなる。
【０１２２】
続くステップＳ１３０においては、表示面１０４０に青色が表示される。表示される青色の青色成分の大きさは、ステップＳ１２４において表示される白色の青色成分の大きさに一致する。
【０１２３】
続くステップＳ１３１においては、校正用情報演算部１１４２が、表示面１０４０に青色が表示された状態において、二次元カラーセンサー１０８１の校正時検出結果Ａ０Ｃ及び校正用センサー１０８２の校正時検出結果Ｂ０Ｃを取得する。取得した二次元カラーセンサー１０８１の校正時検出結果Ａ０Ｃは、赤色成分R_b(m,n)、緑色成分G_b(m,n)及び青色成分B_b(m,n)からなる。取得した校正用センサー１０８２の校正時検出結果Ｂ０Ｃは、分光放射輝度Le_b(λ)からなる。
【０１２４】
ステップＳ１２４及びＳ１２５からなるステップ群、ステップＳ１２６及びＳ１２７からなるステップ群、ステップＳ１２８及びＳ１２９からなるステップ群、並びにステップＳ１３０及びＳ１３１からなるステップ群からなる４個のステップ群の実行順序が変更されてもよい。
【０１２５】
続くステップＳ１３２においては、校正用情報演算部１１４２が、取得した分光放射輝度Le_w(λ)から輝度Lvを演算する。輝度Lvの演算は、ＸＹＺ表色系における等色関数のy成分y(λ)を用いて、先述の式（２）に従って行われる。
【０１２６】
続くステップＳ１３３においては、校正用情報演算部１１４２が、演算した輝度Lvに対応する校正係数A(Lv)を演算する。校正係数A(Lv)の演算の詳細は後述する。
【０１２７】
続くステップＳ１３４においては、校正用情報演算部１１４２が、値Grayが最大値255に達したか否かを判定する。値Grayが最大値255に達していないと判定された場合は、処理がステップＳ１３５に進められる。値Grayが最大値255に達したと判定された場合は、処理が終了する。255は一例であり、1024、4096等であってもよい。
【０１２８】
ステップＳ１３５においては、表示面１０４０に表示される校正用画像のGray値が増分値dだけインクリメントされる。Gray値が増分値dだけインクリメントされた後には、処理がステップＳ１２４に進められる。
【０１２９】
ステップＳ１２４からＳ１３５までによれば、値Gamutが閾値Bより大きくなる、すなわち校正用センサー１０８２の検出結果Ｂ０から演算される色度域が基準より広くなる複数のGray値の各々である各Gray値について、各Gray値に応じた輝度値Lv及び当該輝度値Lvに対応する校正係数A(Lv)が準備される。
【０１３０】
８  校正係数A(Lv)の演算
校正係数A(Lv)の演算においては、表示面１０４０に赤色が表示された場合の被測定領域１０６０のＲＧＢ値R_r(m,n),G_r(m,n)及びB_r(m,n)が二次元カラーセンサー１０８１の校正時検出結果Ａ０Ｃから得られる。
【０１３１】
また、表示面１０４０に緑色が表示された場合の被測定領域１０６０のＲＧＢ値R_g(m,n),G_g(m,n)及びB_g(m,n)が二次元カラーセンサー１０８１の校正時検出結果Ａ０Ｃから得られる。
【０１３２】
また、表示面１０４０に青色が表示された場合の被測定領域１０６０のＲＧＢ値R_b(m,n),G_b(m,n)及びB_b(m,n)が二次元カラーセンサー１０８１の校正時検出結果Ａ０Ｃから得られる。
【０１３３】
これらとは別に、表示面１０４０に赤色が表示された場合の被測定領域１０６０の三刺激値Xr,Yr及びZrが、校正用センサー１０８２の校正時検出結果Ｂ０Ｃである分光放射輝度Le_r(λ)から演算される。三刺激値Xr,Yr及びZrの演算は、ＸＹＺ表色系における等色関数x(λ),y(λ)及びz(λ)を用いて、式（３）、式（４）及び式（５）に従って行われる。
【０１３４】
【数３】
2018205021.tif 000008
【０１３５】
また、表示面１０４０に緑色が表示された場合の被測定領域１０６０の三刺激値Xg,Yg及びZgが、校正用センサー１０８２の校正時検出結果Ｂ０Ｃである分光放射輝度Le_g(λ)から演算される。三刺激値Xg,Yg及びZgの演算は、ＸＹＺ表色系における等色関数x(λ),y(λ)及びz(λ)を用いて、式（６）、式（７）及び式（８）に従って行われる。
【０１３６】
【数４】
2018205021.tif 000009
【０１３７】
また、表示面１０４０に青色が表示された場合の被測定領域１０６０の三刺激値Xb,Yb及びZbが、校正用センサー１０８２の校正時検出結果Ｂ０Ｃである分光放射輝度Le_b(λ)から演算される。三刺激値Xb,Yb及びZbの演算は、ＸＹＺ表色系における等色関数x(λ),y(λ)及びz(λ)を用いて、式（９）、式（１０）及び式（１１）に従って行われる。
【０１３８】
【数５】
2018205021.tif 000010
【０１３９】
二次元カラーセンサー１０８１の校正時検出結果Ａ０ＣからＲＧＢ値R_r(m,n),G_r(m,n)及びB_r(m,n)、ＲＧＢ値R_g(m,n),G_g(m,n)及びB_g(m,n)並びにＲＧＢ値R_b(m,n),G_b(m,n)及びB_b(m,n)が得られ、校正用センサー１０８２の校正時検出結果Ｂ０Ｃから演算された三刺激値Xr,Yr及びZr、三刺激値Xg,Yg及びZg並びに三刺激値Xb,Yb及びZbが準備された後に、式（１２）、式（１３）及び式（１４）を満たす校正係数A(Lv)が演算される。
【０１４０】
【数６】
2018205021.tif 000011
【０１４１】
校正係数A(Lv)は、式（１５）で表される３行３列の正方行列である。
【０１４２】
【数７】
2018205021.tif 000012
【０１４３】
式（１２）、式（１３）及び式（１４）を満たす校正係数A(Lv)が二次元カラーセンサー１０８１の校正時検出結果Ａ０Ｃから得られたＲＧＢ値R_r(m,n),G_r(m,n)及びB_r(m,n)、ＲＧＢ値R_g(m,n),G_g(m,n)及びB_g(m,n)並びにＲＧＢ値R_b(m,n),G_b(m,n)及びB_b(m,n)に乗じられた場合は、校正用センサー１０８２の校正時検出結果Ｂ０Ｃから演算される三刺激値Xr,Yr及びZr、三刺激値Xg,Yg及びZg並びに三刺激値Xb,Yb及びZbと一致する三刺激値がそれぞれ得られる。また、校正用センサー１０８２の校正時検出結果Ｂ０Ｃから演算される三刺激値Xr,Yr及びZr、三刺激値Xg,Yg及びZg並びに三刺激値Xb,Yb及びZbは、分光放射輝度から演算されるため、フィルターの影響を受けず、小さな誤差しか有しない。このため、式（１２）、式（１３）及び式（１４）を満たす校正係数A(Lv)は、二次元カラーセンサー１０８１の校正時検出結果Ａ０Ｃから小さな誤差しか有しない測色値を演算するために利用できる。
【０１４４】
９  色度域の広さを示す値Gamutの輝度による変化
図１８は、液晶表示装置及び有機ＥＬ表示装置における色度域の広さを示す値NTSC ratioの輝度Lvによる変化の例を示すグラフである。
【０１４５】
図１８においては、色度域の広さが全米テレビジョン放送方式標準化委員会（ＮＴＳＣ）により定義された色度域の広さに対する比（NTSC ratio）により表される。また、図１８には、閾値Bが40%である場合について閾値Bを示す閾値線ＴＬが描かれている。
【０１４６】
図１８からは、液晶表示装置においては、表示面の輝度が6cd/m2以下である場合にNTSC ratioが40%以下となることを把握できる。このため、二次元測色装置１０００により液晶表示装置の表示面の測色が行われる場合は、表示面の輝度が6cd/m2以下の状況下において測色が行われるときに、表示面の輝度が6cd/m2である状況下において行われた校正が反映される。
【０１４７】
また、図１８からは、有機ＥＬ表示装置においては、表示面の輝度が1cd/m2以下である場合にNTSC ratioが40%以下となることを把握できる。このため、二次元測色装置１０００により有機ＥＬ表示装置の表示面の測色が行われる場合は、表示面の輝度が1cd/m2以下の状況下において測色が行われるときに、表示面の輝度が1cd/m2である状況下において行われた校正が反映される。
【０１４８】
閾値Bの具体値は、測定者が要求する精度に応じて決定されて測定者により入力されてもよいし、二次元測色装置１０００の内部において決定されてもよい。
【０１４９】
１０  第１実施形態の二次元測色装置において測色値に生じる誤差
図１９は、第１実施形態の二次元測色装置における、白色、赤色、緑色及び青色が表示装置に表示された場合の輝度Lvと輝度Lvに生じる誤差ΔLvとの関係の例を示すグラフである。図２０は、第１実施形態の二次元測色装置における、白色、赤色、緑色及び青色が表示装置に表示された場合の輝度Lvと色度座標u'に生じる誤差Δu'との関係の例を示すグラフである。図２１は、第１実施形態の二次元測色装置における、白色、赤色、緑色及び青色が表示装置に表示された場合の輝度Lvと色度座標v'に生じる誤差Δv'との関係の例を示すグラフである。
【０１５０】
図１９には、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍから演算される輝度Lvに生じる誤差ΔLvの、校正用センサー１０８２の測定時検出結果Ｂ０Ｍから演算される輝度Lvによる変化が示される。図２０には、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍから演算される色度座標u'に生じる誤差Δu'の、校正用センサー１０８２の測定時検出結果Ｂ０Ｍから演算される輝度Lvによる変化が示される。図２１には、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ及びＡ８Ｍから演算される色度座標v'に生じる誤差Δv'の、校正用センサー１０８２の測定時検出結果Ｂ０Ｍから演算される輝度Lvによる変化が示される。
【０１５１】
誤差ΔLvは、被測定領域１０６０，１０６１，１０６２，１０６３，１０６４，１０６５，１０６６，１０６７及び１０６８についてそれぞれ求められる９個の誤差から選択される最悪の誤差である。９個の誤差の各々は、校正用センサー１０８２の測定時検出結果Ｂ０Ｍから演算される輝度Lv_spectroに対する二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ又はＡ８Ｍから演算される輝度Lv(i,j)の比から1を減じた値{Lv(i,j)/Lv_spectro}-1である。
【０１５２】
誤差Δu'は、被測定領域１０６０，１０６１，１０６２，１０６３，１０６４，１０６５，１０６６，１０６７及び１０６８についてそれぞれ求められる９個の誤差から選択される最悪の誤差である。９個の誤差の各々は、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ又はＡ８Ｍから演算される色度座標u'(i,j)から校正用センサー１０８２の測定時検出結果Ｂ０Ｍから演算される色度座標u'_spectroを減じた値u'(i,j)-u'_spectroである。
【０１５３】
誤差Δv'は、被測定領域１０６０，１０６１，１０６２，１０６３，１０６４，１０６５，１０６６，１０６７及び１０６８についてそれぞれ求められる９個の誤差から選択される最悪の誤差である。９個の誤差の各々は、二次元カラーセンサー１０８１の測定時検出結果Ａ０Ｍ，Ａ１Ｍ，Ａ２Ｍ，Ａ３Ｍ，Ａ４Ｍ，Ａ５Ｍ，Ａ６Ｍ，Ａ７Ｍ又はＡ８Ｍから演算される色度座標v'(i,j)から校正用センサー１０８２の測定時検出結果Ｂ０Ｍから演算される色度座標v'_spectroを減じた値v'(i,j)-v'_spectroである。
【０１５４】
図１９に示されるように、誤差ΔLv'は、輝度Lvが大きい場合及び小さい場合のいずれにおいても著しく大きくならない。また、図２０及び図２１にそれぞれ示されるように、誤差Δu'及び誤差Δv'は、輝度Lvが大きい場合及び小さい場合のいずれにおいても著しく大きくならない。これらの点は、図１９、図２０及び図２１をそれぞれ図２８、図２９及び図３０と対比することにより明確に理解される。
【０１５５】
１１  色度域が基準より広くなったか否かを判定するために用いられる値の別例
色度域が基準より広くなったか否かを判定するために用いられる値が校正用センサー１０８２の検出結果Ｂ０から演算される色度域の広さを示す値Gamut以外の値であってもよい。例えば、色度域が基準より広くなったか否かを判定するために用いられる値が、校正用センサー１０８２の検出結果Ｂ０から演算される色度域の広さを示す値Gamutの校正用センサー１０８２の検出結果Ｂ０から演算される輝度Lvに対する変化の大きさを示す値ΔGamutに置き換えられてもよい。値ΔGamutは、例えば、隣接する２個の輝度Lv_n及びLv_n+1並びに隣接する２個の輝度Lv_n及びLv_n+1のそれぞれにおける色度域の広さを示す値Gamut(Lv_n)及びGamut(Lv_n+1)を用いて、式（１６）のように表される。
【０１５６】
【数８】
2018205021.tif 000013
【０１５７】
値ΔGamutによれば、誤差をより抑制することができる。
【０１５８】
１２  分離光学系の別例
図２２は、第１実施形態の二次元測色装置においてハーフミラーからなる分離光学系に代えて採用される分離光学系を図示する模式図である。
【０１５９】
図２２に図示される分離光学系１１７０は、ミラー１１８０及び切り替え機構１１８１を備える。
【０１６０】
切り替え機構１１８１は、対物光学系１１００を通過した光１１２１がミラー１１８０に反射される位置１２００と対物光学系１１００を通過した光１１２１がミラー１１８０に反射されない位置１２０１との間でミラー１１８０の位置を切り替える。ミラー１１８０に反射された光１２２０は、二次元カラーセンサー１０８１に受光される。ミラー１１８０に反射されなかった光１２２１は、校正用センサー１０８２に受光される。ミラー１１８０に反射された光１２２０が校正用センサー１０８２に受光されミラー１１８０に反射されなかった光１２２１が二次元カラーセンサー１０８１に受光されることも許される。
【０１６１】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１６２】
１０００  二次元測色装置
１０２０  表示装置
１０４０  表示面
１０６０，１０６１，１０６２，１０６３，１０６４，１０６５，１０６６，１０６７，１０６８  被測定領域
１０８０  光学系
１０８１  二次元カラーセンサー
１０８２  校正用センサー
１０８３  演算部
１１００  対物光学系
１１０１  ハーフミラー
１１０２  集光光学系
１１８０  ミラー
１１８１  切り替え機構
【図１】
2018205021.tif 000014
【図２】
2018205021.tif 000015
【図３】
2018205021.tif 000016
【図４】
2018205021.tif 000017
【図５】
2018205021.tif 000018
【図６】
2018205021.tif 000019
【図７】
2018205021.tif 000020
【図８】
2018205021.tif 000021
【図９】
2018205021.tif 000022
【図１０】
2018205021.tif 000023
【図１１】
2018205021.tif 000024
【図１２】
2018205021.tif 000025
【図１３】
2018205021.tif 000026
【図１４】
2018205021.tif 000027
【図１５】
2018205021.tif 000028
【図１６】
2018205021.tif 000029
【図１７】
2018205021.tif 000030
【図１８】
2018205021.tif 000031
【図１９】
2018205021.tif 000032
【図２０】
2018205021.tif 000033
【図２１】
2018205021.tif 000034
【図２２】
2018205021.tif 000035
【図２３】
2018205021.tif 000036
【図２４】
2018205021.tif 000037
【図２５】
2018205021.tif 000038
【図２６】
2018205021.tif 000039
【図２７】
2018205021.tif 000040
【図２８】
2018205021.tif 000041
【図２９】
2018205021.tif 000042
【図３０】
2018205021.tif 000043